(57)【要約】【課題】構造が簡単で、取付けが容易な取付金具を備えた振れ止め装置を提供する。【解決手段】天井下地の隣り合う吊りボルト１，１間に、野縁受け３と直交する鉛直面に沿って振れ止め用の筋違いＢを配置し、筋違いＢの上端部を隣り合う一方の吊りボルト１の上端部に取り付け、筋違いＢの下端部を他方の吊りボルト１に隣接する位置で取付金具８を介して野縁受け３に取り付けるようにした振れ止め装置において、取付金具８は、平面視が略ヘの字状に屈曲するように形成した帯状板材の屈曲部を挟んで、その一方側の板部８ａを野縁受け取付用板部、他方側の板部８ｂを筋違い取付用板部とし、両方の板部８ａ，８ｂの対向角度が直角で且つ野縁受け取付用板部８ａを野縁受け３に取り付けた時に筋違い取付用板部８ｂが野縁受け取付用板部８ａに対し所定の傾斜角度で立ち上がるように折曲することによって形成される。【選択図】図７
2008255630.tif 000002
【特許請求の範囲】
【請求項１】
建物躯体の天井部より垂下した吊りボルトの下端部にハンガーを取り付け、このハンガーで野縁受けを支持し、この野縁受けに天井材取付用の野縁を支持するようにしてなる天井下地の隣り合う吊りボルト間に、野縁受けと直交する仮想鉛直面に沿って振れ止め用の筋違いを配置し、この筋違いの上端部を隣り合う一方の吊りボルトの上端部に取り付け、筋違いの下端部を他方の吊りボルトに隣接する位置で取付金具を介して野縁受けに取り付けるようにした振れ止め装置において、
前記取付金具は、平面視が略ヘの字状に屈曲するように形成した帯状板材の屈曲部を挟んで、その一方側の板部を野縁受け取付用板部、他方側の板部を筋違い取付用板部とし、両方の板部の対向角度が直角で且つ野縁受け取付用板部を野縁受けに取り付けた時に筋違い取付用板部が野縁受け取付用板部に対して所定の傾斜角度で立ち上がるように折曲してなるもので、筋違い取付用板部を筋違いの下端部にビス止めすると共に、野縁受け取付用板部を野縁受けにビス止めするようにしたことを特徴とする天井下地の振れ止め装置。
【請求項２】
前記取付金具は、筋違い取付用板部の長さが野縁受け取付用板部よりも長くなるように形成してなることを特徴とする請求項１に記載の天井下地の振れ止め装置。
【発明の詳細な説明】
【技術分野】
【０００１】
本発明は、天井下地の隣り合う吊りボルト間に振れ止め用の筋違いを入れるようにした天井下地の振れ止め装置に関するもので、特に、天井下地の隣り合う吊りボルト間に、野縁受けと直交する仮想鉛直面に沿って振れ止め用の筋違いを配置し、この筋違いの上端部を隣り合う一方の吊りボルトの上端部に取り付け、筋違いの下端部を取付金具を介して野縁受けに取り付けるようにした振れ止め装置に関する。
【背景技術】
【０００２】
振れ止め用の筋違いには、野縁受けと平行する鉛直面に沿って配置される筋違いと、野縁受けと直交する鉛直面に沿って配置される筋違いとがあり、吊りボルトは、そのような２種類の筋違いによって、地震発生の際に有効に振れ止めがなされるようになっている。野縁受けと直交する鉛直面に沿って配置される筋違いの上端部を吊りボルトの上端部に取り付ける取付金具には、構造が簡単で取付け易いものが従来より種々提供されているが、その筋違いの下端部を野縁受けに取り付ける取付金具としては、特許公報等の具体的な公知文献を挙げることかできないが、従来の筋違い下端部取付金具は、構造が複雑で、使用の際の取付けに手間がかかるいった問題があった。
【発明の開示】
【発明が解決しようとする課題】
【０００３】
本発明は、構造が簡単で安価に製作できると共に、使用にあたって野縁受け及び筋違いへの取付けが容易な筋違い下端部取付金具を備えた天井下地の振れ止め装置を提供することを目的とする。
【課題を解決するための手段】
【０００４】
上記課題を解決するための手段を、後述する実施形態の参照符号を付して説明すると、請求項１に係る発明は、建物躯体の天井部Ｓより垂下した吊りボルト１の下端部にハンガー２を取り付け、このハンガー２で野縁受け３を支持し、この野縁受け３に天井材取付用の野縁５を支持するようにしてなる天井下地の隣り合う吊りボルト１，１間に、野縁受け３と直交する仮想鉛直面に沿って振れ止め用の筋違いＢを配置し、この筋違いＢの上端部を隣り合う一方の吊りボルト１の上端部に取り付け、筋違いＢの下端部を他方の吊りボルト１に隣接する位置で取付金具８を介して野縁受け３に取り付けるようにした振れ止め装置において、
前記取付金具８は、平面視が略ヘの字状に屈曲するように形成した帯状板材Ｍの屈曲部Ｋを挟んで、その一方側の板部８ａを野縁受け取付用板部、他方側の板部８ｂを筋違い取付用板部とし、両方の板部８ａ，８ｂの対向角度Ｒが直角で且つ野縁受け取付用板部８ａを野縁受け３に取り付けた時に筋違い取付用板部８ｂが野縁受け取付用板部８ａに対して所定の傾斜角度Ｑで立ち上がるように折曲してなるもので、筋違い取付用板部８ｂを筋違いＢの下端部にビス１７止めすると共に、野縁受け取付用板部８ａを野縁受け３にビス１７止めするようにしたことを特徴とする。
【０００５】
請求項２は、請求項１に記載の天井下地の振れ止め装置において、前記取付金具８は、筋違い取付用板部８ｂの長さが野縁受け取付用板部８ａよりも長くなるように形成してなることを特徴とする。
【発明の効果】
【０００６】
上記解決手段による発明の効果を、後述する実施形態の参照符号を付して説明すると、請求項１に係る発明の取付金具８は、平面視が略ヘの字状に屈曲するように形成した帯状板材Ｍの屈曲部Ｋを挟んで、一方側の板部８ａを野縁受け取付用板部、他方側の板部８ｂを筋違い取付用板部とし、両方の板部８ａ，８ｂの対向角度Ｒが直角で野縁受け取付用板部８ａを野縁受け３に取り付けた時に筋違い取付用板部８ｂが野縁受け取付用板部８ａに対して所定の傾斜角度Ｑで立ち上がるように折曲してなるもので、金具の構造が非常に簡単であるから、製作が容易でコストの低廉化を図ることができ、そして筋違いＢ及び野縁受け３に対する取付けが簡単容易であるから、振れ止め用筋違いの取付施工の能率向上を図ることができる。
【０００７】
請求項２に係る発明の取付金具８は、筋違い取付用板部８ｂの長さが野縁受け取付用板部８ａよりも長くなるように形成されているから、筋違いＢの下端部に対する野縁受け取付用板部８ａの取付けが一層容易となる。
【発明を実施するための最良の形態】
【０００８】
以下に本発明の好適実施形態を図面に基づいて説明すると、図１は天井下地を示す斜視図であり、図２は天井下地の隣り合う吊りボルト間に野縁受けと平行する仮想鉛直面に沿って配置された振れ止め用筋違いＡの正面図、図３は天井下地の隣り合う吊りボルト間に野縁受けと直交する仮想鉛直面に沿って配置された振れ止め用筋違いＢの正面図である。この天井下地は、建物躯体の天井スラブ（天井部）Ｓより垂下された吊りボルト１の下端部にハンガー２を取り付け、このハンガー２で野縁受け３を支持し、この野縁受け３にクリップ４（図１参照）を介して天井材取付用の野縁５を支持し、この野縁５に天井材６を支持するようにしたものである。
【０００９】
天井下地における隣り合う吊りボルト１，１間には、野縁受け３と平行する仮想鉛直面に沿って振れ止め用の筋違いＡが配置され、この筋違いＡの上端部は、上端部取付金具７によって隣り合う吊りボルト１，１の一方の吊りボルト１の上端部に取り付けられ、この筋違いＡの下端部は、他方の吊りボルト１に隣接する位置で野縁受け３にビス止めされている。
【００１０】
そして、図１及び図３に示すように、同天井下地における隣り合う吊りボルト１，１間には、野縁受け３と直交する仮想鉛直面に沿って振れ止め用の筋違いＢが配置され、この筋違いＢの上端部は、筋違い上端部取付金具７によって隣り合う吊りボルト１，１の一方の吊りボルト１の上端部に取り付けられ、この筋違いＢの下端部は、他方の吊りボルト１に隣接する位置で筋違い下端部取付金具８を介して野縁受け３にビス止めされている。
【００１１】
筋違い下端部取付金具８が本発明に係る取付金具であって、この取付金具８は、図４の(a) に示すように平面視が略ヘの字状に屈曲するように形成された帯状板材Ｍの屈曲部Ｋを挟んで、その一方側の板部８ａを野縁受け取付用板部とし、他方側の板部８ｂを筋違い取付用板部とし、しかして帯状板材Ｍの屈曲部Ｋ部分を、図５の(a) に示すように両板部８ａ，８ｂの対向角度Ｒが直角で且つ同図の(b) に示すように野縁受け取付用板部８ａを野縁受け３に取り付けた時に筋違い取付用板部８ｂが野縁受け取付用板部８ａに対して所定の傾斜角度Ｑ（例えば４５°）で立ち上がるように折曲することによって形成されたものであり、筋違い取付用板部８ｂを筋違いＢの下端部にビス１７止めすると共に、野縁受け取付用板部８ａを野縁受け３にビス１７止めするようにしている。図４及び図５には両板部８ａ，８ｂの折れ線をＬで示す。また、野縁受け取付用板部８ａ及び筋違い取付用板部８ｂには夫々ビス挿通孔９が複数ずつ設けてある。
【００１２】
筋違い上端部取付金具７は、どのような構造のものでもよいが、ここでは図９に示すような構造の取付金具を使用している。即ち、図９に示す筋違い上端部取付金具７は、主板部１０の下端側に主板部１０に対し垂直で正面視逆ハの字状に突出する一対のネジ孔１１ａ，１２ａ付き斜板部１１，１２を設け、主板部１０の中央部片側には一方の斜板部８に近い側から吊りボルト１を抱持する吊りボルト抱持片１３を突設してなる金具本体１４と、振れ止め用筋違いＡの上端部にビス１６で基端部１５ｏが取り付けられ且つ先端部１５ａが金具本体１４の斜板部１１，１２のネジ孔１１ａ，１２ａに螺入される取付ボルト１５とからなるもので、金具本体１４の一方の斜板部１１のネジ孔１１ａに螺入した取付ボルト１５の先端部１５ａを、吊りボルト１を抱持した吊りボルト抱持片１３に当接させ、他方の斜板部１２のネジ孔１２ａに螺入した取付ボルト１５の先端部１５ａを吊りボルト１のネジ部に食い込ませるようにしている。
【００１３】
次に、隣り合う吊りボルト１，１間に野縁受け３と直交する仮想鉛直面に沿って配置される振れ止め用筋違いＢの取付施工を、図３に示すように中央部の吊りボルト１を挟んでその左側の吊りボルト１と右側の吊りボルト１との間に２つの筋違いＢ，Ｂを山形に配設する場合について説明すると、先ず、各筋違いＢの上端部に取付金具７の取付ボルト１５をビス１６で取り付け（図９参照）、下端部には取付金具８の筋違い取付用板部８ｂをビス１７で取り付ける。この場合、左側の筋違いＢの下端部と右側の筋違いＢの下端部とは取付金具８の向きを互いに逆にして取り付ける。例えば、左側の筋違いＢの下端部に対して図５の(a) ，(b) に示すように野縁受け取付用板部８ａが筋違い取付用板部８ｂの手前側に位置させ、右側の筋違いＢの下端部に対しては野縁受け取付用板部８ａが筋違い取付用板部８ｂの後ろ側に位置させる。
【００１４】
しかして、左右両筋違いＢ，Ｂの夫々上端側の取付ボルト１５，１５を取付金具７の金具本体１４の斜板部１１，１２に浅くねじ込んだ状態で、この金具本体１４を吊りボルト１の下端部に吊りボルト抱持片１３によって保持させ、こうして金具本体５を吊りボルト抱持片１３を介して吊りボルト１に保持させた状態で、左右両筋違いＢ，Ｂを手で持って金具本体１４を吊りボルト１に沿って上方へスライドさせ、吊りボルト１の上端所要位置で各筋違いＢを取付ボルト１５の軸線周りに回転させて、取付ボルト１５をねじ込むことにより、両取付ボルト１５，１５と取付金具７の金具本体１４と吊りボルト１とを一体化する。
【００１５】
上記のように中央部の吊りボルト１を挟んでその左右両側の筋違いＢ，Ｂの上端部を、上端部取付金具８である取付ボルト１５，１５と金具本体１４を介して吊りボルト１の上端部に取り付けた後、左右両筋違いＢ，Ｂの夫々下端部を、左右の吊りボルト１，１に夫々隣接する位置で取付金具８，８を介して野縁受け３，３に取り付ける。
【００１６】
この場合、左側の筋違いＢについては、図６の(a) 及び図７の(a) に示すように、筋違いＢの下端部に取り付けてある取付金具８の野縁受け取付用板部８ａをチャンネル材からなる野縁受け３の外面側に当接し、タッピングタイプ又はドリルタイプのビス１７をビス挿通孔９から野縁受け３にねじ込むようにすればよい。また右側の筋違いＢについては、図６の(b) 及び図７の(b) に示すように、その筋違いＢの下端部に取り付けてある取付金具８の野縁受け取付用板部８ａをチャンネル材からなる野縁受け３の内面側に当接して、ビス１７をビス挿通孔９から野縁受け３にねじ込むようにすればよい。
【００１７】
上記のようにして、中央部の吊りボルト１を挟んでその左右両振れ止め用筋違いＢ，Ｂの上端部を取付金具７によって中央部の吊りボルト１の上端部に取り付け、両筋違いＢ，Ｂの下端部を、左右両側の吊りボルト１，１の下端部に夫々隣接する位置で野縁受け３，３に取り付ける。
【００１８】
この実施形態では、筋違いＢの上端部を図１０に示すような筋違い上端部取付金具７によって吊りボルト１の上端部に取り付けるようにしたが、筋違い上端部取付金具７については図示のような取付金具７に限るものではなく、それ以外の他の種々の取付金具によって取り付けることができる。
【００１９】
図８は、図３の左端に位置するチャンネル材からなる野縁受け３の外面側に、吊りボルト１の右側にある筋違いＢの下端部に取り付けられた取付金具８の野縁受け取付用板部８ａが取り付けられ、同じ野縁受け３の内面側に、吊りボルト１の左側にある筋違いＢの下端部に取り付けられた取付金具８の野縁受け取付用板部８ａが取り付けられた状態を図示したものである。
【００２０】
以上の実施形態の説明から分かるように、この振れ止め装置の筋違い下端部取付金具８は、金具の構造が簡単であるから、製作が容易でコストの低廉化を図ることができ、また筋違いＢ及び野縁受け３に対する取付けが簡単容易であるから、振れ止め用筋違いの取付施工の能率向上を図るこができる。また、この取付金具８では、筋違い取付用板部８ｂの長さが野縁受け取付用板部８ａよりも長くなるように形成されているから、筋違いＢの下端部に対する野縁受け取付用板部８ａの取付けが一層容易となる。
【図面の簡単な説明】
【００２１】
【図１】天井下地を示す斜視図である。
【図２】天井下地の隣り合う吊りボルト間に野縁受けと平行する鉛直面に沿って配置された振れ止め用筋違いの正面図である。
【図３】天井下地の隣り合う吊りボルト間に野縁受けと直交する鉛直面に沿って配置された振れ止め用筋違いの正面図である。
【図４】筋違い下端部取付金具の平面展開図である。
【図５】(a) は筋違い下端部取付金具の斜視図、(b) は同取付金具の取付状態を示す側面図である。
【図６】(a) ，(b) は夫々筋違い下端部取付金具の取付状態を示す斜視図である。
【図７】図７の(a) に対応する取付金具の取付状態を示す側面図、(b) は図７の(b)  に対応する取付金具の取付状態を示す側面図である。
【図８】取付金具の他の取付状態を示す側面図である。
【図９】筋違い上端部取付金具の使用状態を示す斜視図である。
【符号の説明】
【００２２】
Ｓ            天井スラブ（天井部）
Ｂ            振れ止め用筋違い
１            吊りボルト
２            ハンガー
３            野縁受け
８            筋違い下端部取付金具
８ａ          野縁受け取付用板部
８ｂ          筋違い取付用板部
【図１】
2008255630.tif 000003
【図２】
2008255630.tif 000004
【図３】
2008255630.tif 000005
【図４】
2008255630.tif 000006
【図５】
2008255630.tif 000007
【図６】
2008255630.tif 000008
【図７】
2008255630.tif 000009
【図８】
2008255630.tif 000010
【図９】
2008255630.tif 000011